(57)【要約】【課題】頻繁に使用するユーザにとって開閉をより快適にし、同時にカラーコーディングしてより魅力的なものにしたファイル内に書類束を保持するための装置を提供する。【解決手段】基材と、上方に立ち上がった状態で基材に固着される可動な第一部分と第二部分からなるリングであって、紙の余白の穴に嵌挿するように配置されるリングと、リングの第一部分及び第二部分を、該各部分が接合した閉じたループを形成する閉位置か、該各部分が分離した開位置に保つための機構であって、ハンドル端と作動部を装備したレバーと、機構の残りの部分と共動してリングの第一部分と第二部分を開位置と閉位置の間で動かすことができる作動部と、ハンドル端の表面が好ましくはプラスチック材料からなるレバーとから構成される機構とからなる構成である。【選択図】図１
2004505806.tif 000002
【特許請求の範囲】
【請求項１】
余白に穴を持つ書類の束をファイル内に保持する装置において、
基材と、
紙の余白の穴に嵌装するために上方に立ち上がった状態で基材に固着される可動な第一部分と第二部分からなる少なくとも２つのリングであって、紙の余白の穴に嵌挿するように配置されるリングと、
各リングの第一部分及び第二部分を、第一部分と第二部分が互いに接合した閉じたループを形成する閉位置か、又は、第一部分と第二部分が互いに分離して紙をリングに追加したりあるいはリングから取り外したりできる開位置に保つための機構であって、ハンドル端と作動部を装備したレバーと、機構の残りの部分と共動して各リングの第一部分と第二部分を開位置と閉位置の間で動かすことができる作動部と、ハンドル端の表面が金属よりも柔らかい素材、好ましくはプラスチック材料からなるレバーとから構成される機構と
からなることを特徴とするファイル内に書類束を保持するための装置。
【請求項２】
前記各リングの第一部分は、互いに一体的に連結されて回転可能に軸支されており、レバーが各リングの第一部分を閉位置に付勢することができるとともに、レバーがリリースされた時に各第一部分を開位置に付勢するスプリングを備えたことを特徴とする請求項１記載のファイル内に書類束を保持するための装置。
【請求項３】
前記各リングの第一部分は、リリースされるまでレバーによって閉位置にロックされていることを特徴とする請求項２記載のファイル内に書類束を保持するための装置。
【請求項４】
前記ハンドル端は、全体が柔らかい素材で形成されていることを特徴とする請求項１乃至３記載のファイル内に書類束を保持するための装置。
【請求項５】
前記ハンドル端は、レバーに被せるスリーブとして形成されていることを特徴とする請求項１乃至３記載のファイル内に書類束を保持するための装置。
【請求項６】
前記レバーのハンドル端は、プラスチック又はその他の着色可能な素材で作られているとともに、ハンドル端は着色されていることを特徴とする請求項１乃至５記載のファイル内に書類束を保持するための装置。
【発明の詳細な説明】
【０００１】
【発明の属する技術分野】
本発明はファイル内に書類束を保持するための装置に関し、特に、例えばレバーアーチファイル用のレバーアーチ機構のような、レバーを含む機構によって開閉されるリングによって書類が保持されるタイプの装置に関する。
【０００２】
【従来の技術】
レバーアーチファイルは、ファイル内に書類束を保持するものとして広く知られている。レバーアーチファイルは一般に、基材と、書類束の余白にある穴に嵌挿する基材に堅固に装着された上方に伸びる２つのリングからなる。各リングは、ファイルが閉じられたときに書類を保持する柱状の部分と、アーチ部とから構成されている。柱状の部分と、アーチ部とを閉位置に保持する機構が備えられており、閉位置では、各リングは書類束を保持する閉じたループを形成し、書類束の最上部にあるページをリングに沿って滑らせて下のページを読むことができる。前記機構は、レバーによって操作して前記２つの部分を引き離すことができ、書類をリングに追加したりあるいはリングから取り外したりすることができる。また、レバーを操作することにより、各リングの２つの部分を再び結合させて閉位置とすることもできる。
【０００３】
前記機構のレバーは、特にリングを開閉するために機構の他の部分と係合させる箇所に強度が要求されるために金属製となっている。しかし、ファイルを頻繁に使用するユーザにとっては、金属は使用感が良くない欠点がある。加えて、装置の着色が簡単に剥がれてしまうので、識別を容易にするためのカラーコーディングを機構に付与する手段が存在しない。
【０００４】
【発明が解決しようとする課題】
本発明は、頻繁に使用するユーザにとって機構の開閉をより快適にし、同時に機構をカラーコーディングしてより魅力的なものにしたファイル内に書類束を保持するための装置を提供する。
【０００５】
【課題を解決するための手段】
本発明にかかるファイル内に書類束を保持するための装置は、余白に穴を持つ書類の束をファイル内に保持する装置であって、基材と、紙の余白の穴に嵌装するために上方に立ち上がった状態で基材に固着される可動な第一部分と第二部分からなる少なくとも２つのリングであって、紙の余白の穴に嵌挿するように配置されるリングと、各リングの第一部分及び第二部分を、第一部分と第二部分が互いに接合した閉じたループを形成する閉位置か、又は、第一部分と第二部分が互いに分離して紙をリングに追加したりあるいはリングから取り外したりできる開位置に保つための機構であって、ハンドル端と作動部を装備したレバーと、機構の残りの部分と共動して各リングの第一部分と第二部分を開位置と閉位置の間で動かすことができる作動部と、ハンドル端の表面が金属よりも柔らかい素材、好ましくはプラスチック材料からなるレバーとから構成される機構とからなる構成である。
【０００６】
また、各リングの第一部分は、互いに一体的に連結されて回転可能に軸支されており、レバーが各リングの第一部分を閉位置に付勢することができるとともに、レバーがリリースされた時に各第一部分を開位置に付勢するスプリングを備えた構成である。
さらに、各リングの第一部分は、リリースされるまでレバーによって閉位置にロックされている構成である。
【０００７】
ハンドル端は、全体が柔らかい素材で形成されている構成である。
また、ハンドル端は、レバーに被せるスリーブとして形成されている構成である。
さらに、レバーのハンドル端は、プラスチック又はその他の着色可能な素材で作られているとともに、ハンドル端は着色されている構成である。
【０００８】
本明細書中で用いられる用語「リング」は、以下の両方の構成を包含する。即ち（ａ）第一及び第二部分がそれぞれ円の一部となっている構成、および（ｂ）第一及び第二部分が一体となって長円形のループを形成する構成であって、片方が略直線状で（但し、途中に屈曲部を有していてもよい）、もう一方の部分の上部が円弧状である構成（いわゆる「レバーアーチファイル」）を含む。
しかしながら、リングの個々の形状は本発明の基本構成に影響を与えるものではなく、どのような所望の形状にしてもよい。
【０００９】
いわいる「レバーアーチファイル」において一般に知られているように、各リングの第一部分は、互いに一体的に連結されて基材に回転可能に軸支され、レバー操作によって開位置と閉位置の間を移動可能にすることが好ましい。前記機構は、レバーがリリースされた時にリングの第一部分を開位置に付勢するスプリングを備えていてもよい。この場合、レバー操作によって、第一部分はスプリングの動きに逆らって閉位置まで移動する。第一部分は、リリースされてスプリングによって開位置に移動するまで、レバーによって閉位置にロックされていてもよい。もう一つの方法、すなわちスプリングが第一部分を閉位置に付勢し、レバー操作によって第一部分がスプリングの動きに逆らって開位置に移動する構成としてもよい。しかし、この構成はリングがスプリングのみによって閉位置に保持されているため、誤って開いてしまうおそれがあるので、好ましくない。
【００１０】
ハンドル端全体を柔らかい素材で形成したり、あるいは金属製のレバーに被せる柔らかい素材のスリーブとすることもできる。レバーのハンドル端がプラスチックやその他の着色可能な素材で作られている場合、ユーザはファイルの内容によってハンドル端をカラーコーディング（色彩によるコード付け）することができ、機構をより人目に付くようにすることができる。
【００１１】
【発明の実施の形態】
図１Ａと図６に示すファイル内に書類束を保持する装置では、プレスしたスチール製の基材１０からなり、基材１０には装置をファイルに固着するためのリベット（図示せず）を挿入する穴１２が穿設されている。２つのリング１４が基材１０から立ち上がっており、各リングは固定された第二部分であるポスト１６と可動する第一部分であるアーチ部１８とから構成されている。ポスト１６（第二部分）は基材１０の穴１９に通してから（図６参照）、ポストの下端部をハンマーで変形させて基材１０の所定位置に固定する。
【００１２】
２つのリング１４のアーチ部（第一部分）１８は、図１Ａと図６で示すように一体的に連続しており中央部分３０で連結されている。中央部分３０は、基材１０からプレスされて打ち出された左右の２つの屈曲タブ３１によって、基材１０に回転可能に支持されている（図６参照）。この構造により、アーチ部１８と連結している中央部分３０は、２つの屈曲タブ３１の間を通る水平軸２５を中心として回転可能となっている。
【００１３】
中央部分３０には、クランク（折曲）３２があり、スプリング３４は、一端３４’が基材のスロット３６（図６参照）に差し込まれて固定されており、もう一方の端３４”がクランク３２の下部に当接して、クランク３２を上方に向かって付勢している。この付勢力により、アーチ部１８は水平軸２５を中心として反時計回りに回転する。
【００１４】
略鉛直の上方向きの壁４０が、基材１０からプレスにより打ち出されている。レバー４２は、壁４０の穴４６（図６参照）とレバー４２の穴４８（図１Ｃ参照）とに嵌入するリベット４４（図１Ａ参照）により、壁４０に装着される。このような構造で、レバー４２はリベット４４により壁４０に沿って回転することが可能となる。
【００１５】
レバー４２にはローラ５０（図１Ａ参照）が装備されており、ローラ５０は、レバー４２の穴５４に嵌入するリベット５２（図６参照）の端部によって、レバー４２に装着される。後述するように、ローラ５０はクランク３２の上部に当接して、リング１４のアーチ部１８の開閉を制御する。
【００１６】
ポスト１６（第二部分）の先端はこの実施例ではオス型６０（図６参照）に形成されており、アーチ部１８（第一部分）の先端６２にある対応するメス型と嵌合する。これにより、各リング１４のポスト１６とアーチ部１８とを確実に接合させることができ、ポスト１６とアーチ部１８が一直線に並ぶので、紙が両者の間の接合部に引っかかるのを防止することができる。
【００１７】
レバー４２は、リベット４４を中心として、水平の位置（図１参照）から上向きの位置（図示せず）の間を回動する。図１に示した位置では、ローラ５０はクランク３２をスプリング３４の動き（付勢）に逆らって押し下げ、各リングのアーチ部１８をロック位置に保持して対応するポスト１６に接合させ、図１に示す閉じたリングを形成する。
レバーのローラ５０は、一番下の位置まで下ろされた時にレバー機構の死点を越えるので、レバーはスプリング３４によって閉位置に保持される。
【００１８】
レバー４２を図１に示す位置から上方に動かすと、ローラ５０がクランク３２を押し下げなくなるので、クランク３２はスプリング３４の動きによって上方に移動する。これにより、各リングのアーチ部１８は軸２５を中心として反時計方向に回転し、アーチ部１８はポスト１６から分離される。レバー４２を押し下げることにより、スプリング３４の動きに逆らって、クランク３２をローラ５０によって図１に示す閉位置まで動かすことができる。
【００１９】
余白に穴を有する書類束（図示せず）は、リングが開位置にあるときに、ポスト１６に差し入れることができる。書類束をポスト１６に差し入れたら、レバー４２を図１に示す位置まで押し下げることにより、リング１４に綴じ込まれた書類束が保持される。書類束の上の方にあるページは、ポスト１６からスライドさせてアーチ部１８に移動させることができるので、書類束の下の方にあるページも容易に読むことができる。上述したレバーアーチファイルは、公知の技術である。
【００２０】
レバー４２は、ローラ５０を備えた金属製の作動部４５を有しており、作動部４５は壁４０に装着されている。レバーはユーザによって操作されるハンドル端４７も有している。作動部４５には、ハンドル端４７の嵌入凹部５１に差し込まれる差込部４９があり、ハンドル端は摩擦又は接着剤によって嵌入凹部に保持される。図１Ｂはレバー４２の斜視図である。図１Ｃは、作動部４５とハンドル端４７が切り離されている状態のレバーの斜視図である。図１Ｄはレバー４２の側面図であり、図１Ｅは図１Ｄのｄ−ｄ線断面図である。
【００２１】
図２は、レバーのハンドル端４７の斜視図（図２Ａ）と、側面図（図２Ｂ）と、平面図（図２Ｃ）と、背面図（図２Ｄ）である。
図３Ａ〜３Ｃは、レバーの作動部４５の斜視図（図３Ａ）と、側面図（図３Ｂ）と、平面図（図３Ｃ）である。
【００２２】
図４の装置は、本発明にかかるファイル内に書類束を保持するための装置の第二の実施例であり、図１の装置と略同一であるが、レバー４２のハンドル端にカバー８０が装着されている点において異なる。カバー８０には、公知のレバーアーチファイルのレバーの作動部６４の一端８２が押入される。図４Ｂはレバー４２の斜視図である。図４Ｃは、作動部６４の一端８２からカバー８０が切り離された状態のレバーの斜視図である。図４Ｄはレバー４２の側面図であり、図４Ｅは図４ＤのＥ−Ｅ線断面図である。
【００２３】
図５は、図４のレバーのハンドル端８０の別の実施例を示す斜視図（図５Ａ）と、横から見た軸断面図（図５Ｂ）と、平面図（図５Ｃ）と、背面図（図５Ｄ）である。
図６は、図４及び図５の実施例の装置の分解図であり、装置の構成要素を示している。
【００２４】
図７の装置は、本発明にかかるファイル内に書類束を保持するための装置の第三の実施例であり、図１の装置と略同一であるが、レバー４２のハンドル端にスリーブ７０が装着されている点において異なる。スリーブ７０には、レバーアーチファイル用レバーの作動部７４の一端７２が押入される。図７Ｂはレバー４２の斜視図である。図７Ｃは、作動部７４の一端７２からスリーブ７０が切り離された状態のレバーの斜視図である。図７Ｄはレバー４２の側面図であり、図７Ｅは図７ＤのＥ―Ｅ線断面図である。
【００２５】
図８はレバー４２のスリーブ７０を示す斜視図（図８Ａ）と、横から見た軸断面図（図８Ｂ）、平面図（図８Ｃ）、背面図（図８Ｄ）である。
図９は、図７及び図８の実施例の装置の分解図であり、装置の構成要素を示している。
【図面の簡単な説明】
【図１】Ａ〜Ｅは閉位置にある、本発明にかかる装置の第一実施例の斜視図であり、図１Ａ〜図１Ｄには装置の一部を構成するレバーの詳細図も示す。
【図２】Ａ〜Ｄは図１の装置に示されたレバーのハンドル端を示す。
【図３】Ａ〜Ｃは図１の装置に示されたレバーのハンドル端以外の部分を示す。
【図４】Ａ〜Ｅは閉位置にある、本発明にかかる装置の第二実施例の斜視図であり、図４Ａ〜図４Ｄには装置の一部を構成するレバーの詳細図も示す。
【図５】Ａ〜Ｄは図４の装置に示されたレバーのハンドル端を示す。
【図６】図４に示した装置の分解図を示す。
【図７】Ａ〜Ｅは閉位置にある、本発明にかかる装置の第三実施例の斜視図であり、図７Ａ〜図７Ｄには装置の一部を構成するレバーの詳細図も示す。
【図８】Ａ〜Ｄは図７の装置におけるレバーのハンドル端の一部を構成するスリーブを示す。
【図９】図７に示した装置の分解図を示す。
【符号の説明】
１０　基材
１２　穴
１４　リング
１６　ポスト（第二部分）
１８　アーチ部（第一部分）
１９　穴
２５　水平軸
３０　中央部分
３１　屈曲タブ
３２　クランク
３４　スプリング
４０　壁
４２　レバー
４４　リベット
４５、６４、７４　作動部
４６　穴
４７　ハンドル端
４８　穴
４９　差込部
５０　ローラ
５１　嵌入凹部
５２　リベット
５４　穴
６０　オス型
６２　先端
７０　スリーブ
７２、８２　一端
８０　カバー
【図１】
2004505806.tif 000003
【図２】
2004505806.tif 000004
【図３】
2004505806.tif 000005
【図４】
2004505806.tif 000006
【図５】
2004505806.tif 000007
【図６】
2004505806.tif 000008
【図７】
2004505806.tif 000009
【図８】
2004505806.tif 000010
【図９】
2004505806.tif 000011
【国際公開パンフレット】
2004505806.tif 000012
2004505806.tif 000013
2004505806.tif 000014
2004505806.tif 000015
2004505806.tif 000016
2004505806.tif 000017
2004505806.tif 000018
2004505806.tif 000019
2004505806.tif 000020
2004505806.tif 000021
2004505806.tif 000022
2004505806.tif 000023
2004505806.tif 000024
2004505806.tif 000025
2004505806.tif 000026
2004505806.tif 000027
2004505806.tif 000028
【国際公開パンフレット（コレクトバージョン）】
2004505806.tif 000029
2004505806.tif 000030
【国際公開パンフレット（コレクトバージョン）】
2004505806.tif 000031
2004505806.tif 000032
【国際調査報告】
2004505806.tif 000033
2004505806.tif 000034
2004505806.tif 000035
2004505806.tif 000036